(57)【要約】  需要家施設に設けられる蓄電池装置は、所定の通信プロトコルに従って外部の機器制御装置との通信を行う通信部と、前記需要家施設に設けられた負荷の消費電力に合わせて放電電力を調整する負荷追従放電を行う制御部と、を備える。前記通信部は、前記負荷追従放電の最大放電値の設定を要求する設定要求を前記機器制御装置から受信し、前記制御部は、前記設定要求に基づいて、前記負荷追従放電の放電電力を前記最大放電値以下に制御する。
2015098988.tif 000002
【特許請求の範囲】
【請求項１】
需要家施設に設けられる蓄電池装置であって、
所定の通信プロトコルに従って外部の機器制御装置との通信を行う通信部と、
前記需要家施設に設けられた負荷の消費電力に合わせて放電電力を調整する負荷追従放電を行う制御部と、を備え、
前記通信部は、前記負荷追従放電の最大放電値の設定を要求する設定要求を前記機器制御装置から受信し、
前記制御部は、前記設定要求に基づいて、前記負荷追従放電の放電電力を前記最大放電値以下に制御することを特徴とする蓄電池装置。
【請求項２】
前記最大放電値は、瞬時電力値により指定されることを特徴とする請求項１に記載の蓄電池装置。
【請求項３】
前記通信部は、前記機器制御装置からの読み出し要求に応じて、前記最大放電値を前記機器制御装置に通知することを特徴とする請求項１又は２に記載の蓄電池装置。
【請求項４】
前記通信部は、前記機器制御装置との間でＥＣＨＯＮＥＴ  Ｌｉｔｅ規格に準拠した通信を行うことを特徴とする請求項１乃至３の何れか一項に記載の蓄電池装置。
【請求項５】
前記最大放電値は、前記蓄電池装置の機器クラスに対応するプロパティであることを特徴とする請求項４に記載の蓄電池装置。
【請求項６】
前記最大放電値は、前記需要家施設における実際の消費電力量を想定需要電力量の所定の変動範囲に収めるよう制御する必要がある場合に、前記機器制御装置から通知されることを特徴とする請求項１乃至５の何れか一項に記載の蓄電池装置。
【請求項７】
需要家施設に設けられる負荷の消費電力に合わせて放電電力を調整する負荷追従放電を行う蓄電池装置を制御する機器制御装置であって、
所定の通信プロトコルに従って前記蓄電池装置との通信を行う通信部を備え、
前記通信部は、前記負荷追従放電の最大放電値の設定を要求する設定要求を前記蓄電池装置に送信することを特徴とする機器制御装置。
【請求項８】
前記最大放電値は、前記需要家施設における実際の消費電力量を想定需要電力量の所定の変動範囲に収めるよう制御する必要がある場合に取得することを特徴とする請求項７に記載の機器制御装置。
【請求項９】
前記最大放電値は、瞬時電力値により指定されることを特徴とする請求項７又は８に記載の機器制御装置。
【請求項１０】
前記通信部は、前記最大放電値の読み出し要求を前記蓄電池装置に送信することにより、前記最大放電値を前記蓄電池装置から取得することを特徴とする請求項７乃至９の何れか一項に記載の機器制御装置。
【請求項１１】
前記通信部は、前記蓄電池装置との間でＥＣＨＯＮＥＴ  Ｌｉｔｅ規格に準拠した通信を行うことを特徴とする請求項７乃至１０の何れか一項に記載の蓄電池装置。
【請求項１２】
前記最大放電値は、前記蓄電池装置の機器クラスに対応するプロパティであることを特徴とする請求項１１に記載の機器制御装置。
【請求項１３】
需要家施設に設けられる蓄電池装置と、前記蓄電池装置を制御する機器制御装置とを備えるシステムにおいて用いられる制御方法であって、
前記蓄電池装置が、前記需要家施設に設けられる負荷の消費電力に合わせて放電電力を調整する負荷追従放電を行うステップと、
前記機器制御装置が、所定の通信プロトコルに従った通信により、前記負荷追従放電における最大放電電力の設定を要求する設定要求を送信するステップと、
前記蓄電池装置が、前記設定要求に基づいて、前記最大放電電力以下の放電電力で前記負荷追従放電を行うステップと、
を含むことを特徴とする制御方法。
【発明の詳細な説明】
【技術分野】
【０００１】
本発明は、所定の通信プロトコルに従って通信を行う蓄電池装置、機器制御装置、及び制御方法に関する。
【背景技術】
【０００２】
近年、電力の需要家施設に設けられ、複数の機器を制御する機器制御装置を備えた制御システム（ＥＭＳ：Ｅｎｅｒｇｙ  Ｍａｎａｇｅｍｅｎｔ  Ｓｙｓｔｅｍ）が注目を浴びている。このようなシステムには、様々なメーカにより提供される機器を機器制御装置が制御可能にするための通信プロトコルが導入される。【０００３】
このような通信プロトコルの一例として、ＥＣＨＯＮＥＴ  Ｌｉｔｅ（登録商標）の場合は、機器の種別ごとに機器クラスを規定し、当該機器が持つ情報及び制御対象をプロパティとして機器クラスごとに規定する。例えば、蓄電池装置は蓄電池クラスに属しており、蓄電池クラスに対応するプロパティは蓄電池容量及び最大最少充電電力値等を含む（非特許文献１参照）。【０００４】
一方で、特定規模電気事業者（ＰＰＳ：Ｐｏｗｅｒ  Ｐｒｏｄｕｃｔ  Ｓｕｐｐｌｉｅｒ）が注目を浴びている。ユーザ（企業等）は、一般的に通常の電力会社よりも安価な電力をＰＰＳから購入することができる。【０００５】
ＰＰＳが想定した需要電力量（想定需要電力量）に対して、実際の消費電力量が所定の変動範囲を超えて超過した場合に、不足分の電力を電力会社が補うことになるが、その対価としてＰＰＳが電力会社にペナルティ料金を支払う。ここで、所定の変動範囲は、例えば日本国内においては３０分単位の想定需要電力量の３％、などである。ペナルティ料金は、インバランス料金（或いは、変動範囲外発電料金）と称される。ＰＰＳに関連し、低コスト化に関する様々な発明が提案されている（例えば、特許文献１参照）。【０００６】
インバランス料金を抑えるために、蓄電池装置を有する給電システム（蓄電システム）を利用し、負荷の消費電力に応じて蓄電池装置から最大限に放電を行う方法が考えられる。【０００７】
しかしながら、このような方法では、蓄電池装置の蓄電残量が早期に尽きてしまうため、蓄電残量が尽きた後においてインバランス料金を抑えることができない問題がある。
【先行技術文献】
【非特許文献】
【０００８】
【非特許文献１】「ＥＣＨＯＮＥＴ  ＳＰＥＣＩＦＩＣＡＴＩＯＮ  ＡＰＰＥＮＤＩＸ  Ｄｅｔａｉｌｅｄ  Ｒｅｑｕｉｒｅｍｅｎｔｓ  ｆｏｒ  ＥＣＨＯＮＥＴ  Ｄｅｖｉｃｅ  ｏｂｊｅｃｔｓ  Ｒｅｌｅａｓｅ  Ｄ」、２０１３年10月31日、インターネット〈http://www.echonet.gr.jp/english/spec/pdf_spec_app_d_e/SpecAppendixD_e.pdf〉
【発明の概要】
【０００９】
第１の特徴に係る蓄電池装置は、需要家施設に設けられる。前記蓄電装置は、所定の通信プロトコルに従って外部の機器制御装置との通信を行う通信部と、前記需要家施設に設けられた負荷の消費電力に合わせて放電電力を調整する負荷追従放電を行う制御部と、を備える。前記通信部は、前記負荷追従放電の最大放電値の設定を要求する設定要求を前記機器制御装置から受信する。前記制御部は、前記設定要求に基づいて、前記負荷追従放電の放電電力を前記最大放電値以下に制御する。
【００１０】
第２の特徴に係る機器制御装置は、需要家施設に設けられる負荷の消費電力に合わせて放電電力を調整する負荷追従放電を行う蓄電池装置を制御する。前記機器制御装置は、所定の通信プロトコルに従って前記蓄電池装置との通信を行う通信部を備える。前記通信部は、前記負荷追従放電の最大放電値の設定を要求する設定要求を前記蓄電池装置に送信する。
【００１１】
第３の特徴に係る制御方法は、需要家施設に設けられる蓄電池装置と、前記蓄電池装置を制御する機器制御装置とを備えるシステムにおいて用いられる。前記制御方法は、前記蓄電池装置が、前記需要家施設に設けられる負荷の消費電力に合わせて放電電力を調整する負荷追従放電を行うステップと、前記機器制御装置が、所定の通信プロトコルに従った通信により、前記負荷追従放電における最大放電電力の設定を要求する設定要求を送信するステップと、前記蓄電池装置が、前記設定要求に基づいて、前記最大放電電力以下の放電電力で前記負荷追従放電を行うステップと、を含む。
【図面の簡単な説明】
【００１２】
【図１】図１は、実施形態に係る制御システムの構成を示すブロック図である。
【図２】図２は、実施形態に係るノード接続時シーケンスを示すシーケンス図である。
【図３】図３は、実施形態に係る動作を示すシーケンス図である。
【図４】図４は、実施形態に係る機器制御装置の動作を示すフロー図である。
【図５】図５は、具体的な消費電力推移の例を示す図である。
【図６】図６は、負荷追従放電制御の比較例１を示す図である。
【図７】図７は、負荷追従放電制御の比較例２を示す図である。
【図８】図８は、実施形態に係る負荷追従放電制御を示す図である。
【発明を実施するための形態】
【００１３】
［実施形態の概要］
実施形態に係る蓄電池装置は、需要家施設に設けられる。前記蓄電装置は、所定の通信プロトコルに従って外部の機器制御装置との通信を行う通信部と、前記需要家施設に設けられた負荷の消費電力に合わせて放電電力を調整する負荷追従放電を行う制御部と、を備える。前記通信部は、前記負荷追従放電の最大放電値の設定を要求する設定要求を前記機器制御装置から受信する。前記制御部は、前記設定要求に基づいて、前記負荷追従放電の放電電力を前記最大放電値以下に制御する。
【００１４】
実施形態では、前記最大放電値は、瞬時電力値により指定される。
【００１５】
実施形態では、前記通信部は、前記機器制御装置からの読み出し要求に応じて、前記最大放電値を前記機器制御装置に通知する。
【００１６】
実施形態では、前記通信部は、前記機器制御装置との間でＥＣＨＯＮＥＴ  Ｌｉｔｅ規格に準拠した通信を行う。
【００１７】
実施形態では、前記最大放電値は、前記蓄電池装置の機器クラスに対応するプロパティである。
【００１８】
実施形態では、前記最大放電値は、前記需要家施設における実際の消費電力量を想定需要電力量の所定の変動範囲に収めるよう制御する必要がある場合に、前記機器制御装置から通知される。
【００１９】
実施形態に係る機器制御装置は、需要家施設に設けられる負荷の消費電力に合わせて放電電力を調整する負荷追従放電を行う蓄電池装置を制御する。前記機器制御装置は、所定の通信プロトコルに従って前記蓄電池装置との通信を行う通信部を備える。前記通信部は、前記負荷追従放電の最大放電値の設定を要求する設定要求を前記蓄電池装置に送信する。
【００２０】
実施形態では、前記最大放電値は、前記需要家施設における実際の消費電力量を想定需要電力量の所定の変動範囲に収めるよう制御する必要がある場合に取得する。
【００２１】
実施形態では、前記最大放電値は、瞬時電力値により指定される。
【００２２】
実施形態では、前記通信部は、前記最大放電値の読み出し要求を前記蓄電池装置に送信することにより、前記最大放電値を前記蓄電池装置から取得する。
【００２３】
実施形態では、前記通信部は、前記蓄電池装置との間でＥＣＨＯＮＥＴ  Ｌｉｔｅ規格に準拠した通信を行う。
【００２４】
実施形態では、前記最大放電値は、前記蓄電池装置の機器クラスに対応するプロパティである。
【００２５】
実施形態に係る制御方法は、需要家施設に設けられる蓄電池装置と、前記蓄電池装置を制御する機器制御装置とを備えるシステムにおいて用いられる。前記制御方法は、前記蓄電池装置が、前記需要家施設に設けられる負荷の消費電力に合わせて放電電力を調整する負荷追従放電を行うステップと、前記機器制御装置が、所定の通信プロトコルに従った通信により、前記負荷追従放電における最大放電電力の設定を要求する設定要求を送信するステップと、前記蓄電池装置が、前記設定要求に基づいて、前記最大放電電力以下の放電電力で前記負荷追従放電を行うステップと、を含む。
【００２６】
［実施形態］
以下において、実施形態について説明する。
【００２７】
（システム構成）
図１は、実施形態に係る制御システム１０の構成を示すブロック図である。
【００２８】
図１に示すように、制御システム１０は、配電線３０（電力系統）から電力供給を受ける需要家施設に設けられる。実施形態では、需要家施設は、電力事業者（一例としてＰＰＳ）から配電線３０を介して電力供給を受ける。制御システム１０は、センサ１１０、負荷１２０、蓄電池装置１４０、及び機器制御装置２００を有する。
【００２９】
センサ１１０は、配電線３０から電力線を介して供給される系統電力（買電電力）パラメータを計測する。実施形態では、センサ１１０は電流センサである。センサ１１０は、信号線を介して、計測値を蓄電池装置１４０に通知する。信号線は、有線であってもよく、無線であってもよい。
【００３０】
負荷１２０は、配電線３０及び／又は蓄電池装置１４０から電力線を介して供給される電力を消費する機器である。例えば、負荷１２０は、冷蔵庫、照明、エアコン、又はテレビ等である。負荷１２０は、単数の機器であってもよく、複数の機器を含んでもよい。負荷１２０は、信号線を介して機器制御装置２００との通信を行う。
【００３１】
蓄電池装置１４０は、電力を蓄積する機器である。蓄電池装置１４０は、蓄電池１４１、直流−直流（ＤＣ−ＤＣ）変換部１４２、直流−交流（ＤＣ−ＡＣ）変換部１４３、通信部１４４、及び制御部１４５を有する。蓄電池１４１は、電力の蓄積（充電）及び電力の供給（放電）を行う。蓄電池１４１は、系統電力を蓄積してもよく、発電装置の発電力を蓄積してもよい。蓄電池１４１の放電時において、ＤＣ−ＤＣ変換部１４２は、蓄電池１４１から出力されたＤＣ電力を昇圧してＤＣ−ＡＣ変換部１４３に出力する。ＤＣ−ＡＣ変換部１４３は、ＤＣ−ＤＣ変換部１４２が出力するＤＣ電力をＡＣに変換し、電力線を介してＡＣ電力を出力する。
【００３２】
通信部１４４は、信号線を介して、所定の通信プロトコルに従って機器制御装置２００との通信を行う。制御部１４５は、当該通信に基づいて、ＤＣ−ＤＣ変換部１４２及びＤＣ−ＡＣ変換部１４３を制御する。また、制御部１４５は、センサ１１０の計測値に基づいて、放電電力が配電線３０に逆潮流しないように放電を制御する。その際に、負荷１２０の消費電力量に応じて放電電力を上下させる。これを負荷追従放電という。
【００３３】
機器制御装置２００は、需要家施設に設けられた複数の機器を制御する。機器制御装置２００は、例えば、住宅に設けられた複数の機器を制御するＨＥＭＳ（Ｈｏｍｅ  Ｅｎｅｒｇｙ  Ｍａｎａｇｅｍｅｎｔ  Ｓｙｓｔｅｍ）である。或いは、機器制御装置２００は、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）、ＢＥＭＳ（Ｂｕｉｌｄｉｎｇ  Ｅｎｅｒｇｙ  Ｍａｎａｇｅｍｅｎｔ  Ｓｙｓｔｅｍ）、ＦＥＭＳ（Ｆａｃｔｏｒｙ  Ｅｎｅｒｇｙ  Ｍａｎａｇｅｍｅｎｔ  Ｓｙｓｔｅｍ）、又はＳＥＭＳ（Ｓｔｏｒｅ  Ｅｎｅｒｇｙ  Ｍａｎａｇｅｍｅｎｔ  Ｓｙｓｔｅｍ）等であってもよい。
【００３４】
機器制御装置２００は、通信部２１０及び制御部２２０を有する。通信部２１０は、信号線を介して、所定の通信プロトコルに従って負荷１２０及び蓄電池装置１４０との通信を行う。制御部２２０は、通信部２１０により、負荷１２０及び蓄電池装置１４０を制御する。
【００３５】
（通信プロトコル）
実施形態では、所定の通信プロトコルは、ＥＣＨＯＮＥＴ  Ｌｉｔｅ（登録商標）を例に説明を行う。
【００３６】
ＥＣＨＯＮＥＴ  Ｌｉｔｅに準拠した機器（「ノード」とも称される）のプロトコルスタックは、下位通信層、通信ミドルウェア、及びアプリケーションソフトウェアの３つに分けられる。ＯＳＩ参照モデルにおいて、下位通信層は第１層乃至第４層に相当し、通信ミドルウェアは第５層乃至第６層に相当し、アプリケーションソフトウェアは第７層に相当する。ＥＣＨＯＮＥＴ  Ｌｉｔｅは、通信ミドルウェアの仕様を規定しており、下位通信層の仕様については規定していない。実施形態において、蓄電池装置１４０の通信部１４４及び機器制御装置２００の通信部２１０のそれぞれは、下位通信層及び通信ミドルウェアの機能を実行する。また、蓄電池装置１４０の制御部１４５及び機器制御装置２００の制御部２２０のそれぞれは、アプリケーションソフトウェアの機能を実行する。
【００３７】
また、ＥＣＨＯＮＥＴ  Ｌｉｔｅでは、機器の種別ごとに機器クラス（「機器オブジェクト」とも称される）を規定し、当該機器に関するパラメータをプロパティとして機器クラスごとに規定する。蓄電池装置１４０は、「蓄電池クラス」に属する。また、蓄電池クラスに対応するプロパティは、蓄電池容量及び最大最少充電電力値等を含む。
【００３８】
蓄電池装置１４０の通信部１４４は、蓄電池装置１４０（蓄電池クラス）に関する各プロパティを管理する。このように機器クラスごとに管理される情報は、「インスタンス」と称される。また、蓄電池装置１４０の通信部１４４は、蓄電池装置１４０の属性情報（例えば、メーカコード、商品コード、製造番号）を「ノードプロファイル（プロファイルオブジェクト）」として管理する。
【００３９】
通信ミドルウェアが送受信するメッセージは、例えば、「送信元オブジェクト識別コード」、「送信先オブジェクト識別コード」、「サービス識別コード」、「プロパティ識別コード」、及び「プロパティ値」等を含む。送信元オブジェクト識別コードは、送信元のオブジェクトを識別するための情報である。送信先オブジェクト識別コードは、送信先のオブジェクトを識別するための情報（機器クラス識別コード）である。サービス識別コードは、当該プロパティ値に対する操作内容を識別するための情報である。サービス識別コードは、例えば、プロパティ値設定要求である「Ｓｅｔ」又はプロパティ値読み出し要求である「Ｇｅｔ」等である。プロパティ識別コードは、プロパティを識別するための情報である。
【００４０】
（ノード接続時シーケンス）
図２は、実施形態に係るノード接続時シーケンスを示すシーケンス図である。ノード接続時シーケンスは、例えば機器制御装置２００が起動した際に開始される。図２に示す各メッセージは、蓄電池装置１４０の通信部１４４及び機器制御装置２００の通信部２１０が送受信するものである。
【００４１】
図２に示すように、ステップＳ１１において、機器制御装置２００は、主要なノードプロファイル（メーカコード、商品コード、製造番号など）の読み出しを要求する読み出し要求（以下、「Ｇｅｔメッセージ」という）を蓄電池装置１４０に送信する。
【００４２】
ステップＳ１２において、蓄電池装置１４０は、当該Ｇｅｔメッセージの受信に応じて、主要なノードプロファイルを通知する読み出し応答（以下、「Ｇｅｔ  Ｒｅｓメッセージ」という）を機器制御装置２００に送信する。機器制御装置２００は、当該Ｇｅｔ  Ｒｅｓメッセージにより、主要なノードプロファイルを取得し、ノードを検出する。
【００４３】
ステップＳ１３において、機器制御装置２００は、検出したノード（蓄電池装置１４０）に対して、当該ノードが管理しているインスタンスの一覧であるインスタンスリストの読み出しを要求するＧｅｔメッセージを送信する。
【００４４】
ステップＳ１４において、蓄電池装置１４０は、当該Ｇｅｔメッセージの受信に応じて、自ノードのインスタンスリストを通知するＧｅｔ  Ｒｅｓメッセージを機器制御装置２００に送信する。当該インスタンスリストは、蓄電池クラスのインスタンスを含む。換言すると、蓄電池装置１４０は、蓄電池装置１４０の機器クラスを機器制御装置２００に通知する。これにより、機器制御装置２００は、検出したノード（蓄電池装置１４０）が、蓄電池クラスのインスタンスを管理していることを把握する。
【００４５】
ステップＳ１５において、機器制御装置２００は、蓄電池クラスのインスタンスのプロパティマップの読み出しを要求するＧｅｔメッセージを蓄電池装置１４０に送信する。プロパティマップは、当該インスタンスに含まれるプロパティの一覧である。
【００４６】
ステップＳ１６において、蓄電池装置１４０は、当該Ｇｅｔメッセージの受信に応じて、蓄電池クラスのインスタンスのプロパティマップを通知するＧｅｔ  Ｒｅｓメッセージを機器制御装置２００に送信する。機器制御装置２００は、当該Ｇｅｔ  Ｒｅｓメッセージにより、蓄電池クラスのインスタンスのプロパティマップを取得する。蓄電池クラスのインスタンスに含まれるプロパティ（以下、「蓄電池クラスに対応するプロパティ」という）としては、例えば、動作状態、運転モード設定、瞬時充放電電力計測値、蓄電残量、蓄電池タイプが挙げられる。
【００４７】
（実施形態に係る動作）
上述したノード接続時シーケンスが完了すると、機器制御装置２００は、蓄電池装置１４０が管理しているインスタンスに含まれるプロパティを把握し、機器制御装置２００が蓄電池装置１４０を制御可能な状態になる。実施形態では、蓄電池クラスに対応するプロパティは、負荷追従放電の最大放電値を含む。最大放電値は、瞬時電力値（Ｗ）により指定される。
【００４８】
図３は、実施形態に係る動作を示すシーケンス図である。
【００４９】
図３に示すように、ステップＳ１０１において、機器制御装置２００の制御部２２０は、負荷追従放電の最大放電値を取得する。負荷追従放電の最大放電値は、蓄電池装置１４０の定格出力値よりも小さい値である。制御部２２０は、負荷追従放電の最大放電値を取得する。たとえば、蓄電池装置１４０のメーカーの保有するサーバ装置から、インターネット経由で機器制御装置２００（制御部２２０）が取得する。或いは、制御部２２０が、過去の統計データに基づく予測により負荷追従放電の最大放電値を算出してもよい。ここでは、負荷追従放電の最大放電値が２．０ｋＷであると仮定する。
【００５０】
ステップＳ１０２において、機器制御装置２００の通信部２１０は、負荷追従放電の最大放電値の設定を要求する設定要求を蓄電池装置１４０に送信する。負荷追従放電の最大放電値は、蓄電池クラスに対応するプロパティである。当該設定要求は、「送信元オブジェクト識別コード」として機器制御装置２００のオブジェクト識別コードを含み、「送信先オブジェクト識別コード」として蓄電池装置１４０のオブジェクト識別コードを含み、「サービス識別コード」として例えばＳｅｔを含み、「プロパティ識別コード」として当該プロパティの識別コードを含み、「プロパティ値」として当該プロパティのプロパティ値を含むメッセージである。以下において、このようなメッセージを「Ｓｅｔメッセージ」と称する。Ｓｅｔメッセージには、応答を要するＳｅｔメッセージである「ＳｅｔＣメッセージ」及び応答を要しないＳｅｔメッセージである「ＳｅｔＩメッセージ」があるが、ここではＳｅｔＣメッセージを例示する。
【００５１】
ここでは、機器制御装置２００が蓄電池装置１４０に対して予め負荷追従放電モードを設定していると仮定している。しかしながら、予め負荷追従放電モードを設定していない場合、機器制御装置２００は、負荷追従放電の最大放電値の設定要求と共に、蓄電池装置１４０の運転モード設定（或いは放電モード設定）として負荷追従放電モードの設定を要求する設定要求を蓄電池装置１４０に送信してもよい。
【００５２】
蓄電池装置１４０の通信部１５１は、当該ＳｅｔＣメッセージを機器制御装置２００から受信する。蓄電池装置１４０の制御部１５２は、当該ＳｅｔＣメッセージに基づいて、負荷追従放電の放電電力を最大放電値（２．０ｋＷ）以下に制御する。例えば、制御部１５２は、ＤＣ−ＡＣ変換部１４３の出力を監視し、ＤＣ−ＡＣ変換部１４３の出力が最大放電値（２．０ｋＷ）を超えないように放電制御を行う。
【００５３】
ステップＳ１０３において、蓄電池装置１４０の通信部１５１は、負荷追従放電の最大放電値の設定を通知するＳｅｔ  Ｒｅｓメッセージを機器制御装置２００に送信する。
【００５４】
このように、負荷追従放電の最大放電値を機器制御装置２００から蓄電池装置１４０に対して設定することにより、蓄電池装置１４０が定格出力まで放電することを防止し、蓄電池装置１４０の蓄電残量を長持ちさせることができる。
【００５５】
図４は、実施形態に係る機器制御装置２００の動作を示すフロー図である。ここでは需要家施設として店舗を想定する。
【００５６】
図４に示すように、ステップＳ２０１において、機器制御装置２００の制御部２２０は、日時、外気温、客数、使用電力推移（ｋＷ）、３０分毎の使用電力量（ｋＷｈ）などのデータを予め蓄積しておく。制御部２２０は、予測する日の条件で過去のデータを検索して、もっとも近い条件の過去の消費電力量を導き、その過去の消費電力量を想定需要電力量とする。次に、制御部２２０は、３０単位の消費電力量が平均して使用されると想定して、瞬時的な想定需用電力（ｋＷ）を求め、その時の消費電力の推移との差分から負荷追従放電の最大放電値を決定する。
【００５７】
ここで、２０１３年１１月１８日の１２時〜１２時３０分の３０分間を対象として、負荷追従放電の最大放電値を決定する具体例を説明する。対象時間帯の予想気温を１９℃及び客数が１００人であると想定する。この条件を満たす過去のデータが例えば２０１２年１１月１２日で外気温が１９℃及び客数が９５人であったとする。２０１２年１１月１２日の１２時〜１２時３０分の消費電力量が５ｋＷｈであった場合、平均すると１０ｋＷが想定需用電力となる（１０ｋＷ＝５ｋＷｈ／０．５ｈ）。そして、２０１２年１１月１２日の１２時〜１２時３０分の消費電力推移で１０ｋＷを超える場合が１０分であり、その平均が２．１ｋＷであった場合はその２．１ｋＷを最大放電値として決定する。
【００５８】
ステップＳ２０２において、機器制御装置２００の通信部２１０は、決定した負荷追従放電の最大放電値の設定を要求するＳｅｔメッセージを蓄電池装置１４０に送信する。
【００５９】
以上説明したように、実施形態では、蓄電池装置１４０の制御部１５２は、設定要求（例えば、ＳｅｔＣメッセージ）に基づいて、負荷追従放電の放電電力を最大放電値（２．０ｋＷ）以下に制御する。これによって、蓄電池装置１４０の放電量が大きくなり過ぎず、所定期間（例えば、３０分）において実際の消費電力量を所定の変動範囲内に抑制しやすい。言い換えると、余分な放電の抑制によって、インバランス料金を抑制しながらも、蓄電残量がゼロになるまでの時間を延長することができる。
【００６０】
（具体例）
次に、具体的な消費電力推移の例を挙げて、実施形態に係る負荷追従放電制御の効果を比較例と比較して説明する。
【００６１】
図５は、具体的な消費電力推移の例を示す図である。ここでは、３０分間の需要予測電力量が５ｋＷｈであると仮定する。この場合、図５に示すように、瞬時的な目標電力は１０ｋＷ（０％）であり、３０分間において許容される電力量の変動範囲は９．７ｋＷ（−３％）〜１０．３ｋＷ（＋３％）である。図５では、実際の消費電力はグラフのように推移し、３０分で９３０Ｗｈの超過及び３６０Ｗｈの不足があり、結果として５７０Ｗｈ超過する。また、３０分の消費電力量は１０．５７ｋＷｈである。よって、０．２７ｋＷｈ分のインバランス料金が発生する。
【００６２】
図６は、負荷追従放電制御の比較例１を示す図である。図６に示すように、比較例１では、目標の１０ｋＷを超えた時に蓄電池装置１４０から放電する制御を行う。図６では、９３０Ｗｈの超過を蓄電池装置１４０の放電により賄っているが、３６０Ｗｈの不足が生じる。また、３０分の系統電力の消費電力量は９．６４ｋＷｈである。よって、０．０６ｋＷｈのインバランス料金が発生する。
【００６３】
図７は、負荷追従放電制御の比較例２を示す図である。図７に示すように、比較例２では、不足の状態にならないよう、常に電力量を監視し、０ｋＷｈになるように時分割で放電を制御する。具体的には、超過分を放電した後、系統電力の消費量が不足しているため、次に超過した際に電力量が合計して０ｋＷｈになるように一時放電を停止させ、０ｋＷｈを超えた段階で放電を再開している。この場合、３０分間で系統電力の消費量は０．１５ｋＷｈ不足しているが、インバランス料金は発生しない。但し、系統電力の消費量が不足するということは、余計に放電していることになる。このため、蓄電池容量１２ｋＷｈでＤＯＤ８０％と仮定した場合に、図７の状態を繰り返すと、１３．３時間で蓄電残量が０％になる。
【００６４】
図８は、実施形態に係る負荷追従放電制御を示す図である。ここでは、負荷追従放電の最大放電値が２．１ｋＷであると仮定する。図８に示すように、消費電力が１０ｋＷ（０％）を超えた時に、最大２．１ｋＷしか放電できないので、放電量（ｋＷｈ）が比較例２に比べて制限されている。しかし、比較例２に比べて放電量（ｋＷ）が抑えられるため、結果として０ｋＷｈ（０％）に制御できている。よって、放電量を必要最低限に留めることができる。このため、蓄電池容量１２ｋＷｈでＤＯＤ８０％と仮定した場合に、図８の状態を繰り返すと、１６．８４時間で蓄電残量が０％になり、比較例２に比べて、放電可能な期間が３時間以上延長され、インバランス料金が抑制される。
【００６５】
［その他の実施形態］
機器制御装置２００は、蓄電池クラスに対応するプロパティとして、蓄電池装置１４０の負荷追従放電の最大放電値の読み出しを要求するＧｅｔメッセージを蓄電池装置１４０に送信してもよい。また、蓄電池装置１４０は、当該Ｇｅｔメッセージの受信に応じて、負荷追従放電の最大放電値を通知するＧｅｔ  Ｒｅｓメッセージを機器制御装置２００に送信してもよい。
【００６６】
上述した実施形態では、ＥＣＨＯＮＥＴ  Ｌｉｔｅに準拠したシステムを例示した。しかしながら、ＥＣＨＯＮＥＴ  Ｌｉｔｅに準拠したシステムに限定されるものではなく、例えばＺｉｇＢｅｅ（登録商標）又はＫＮＸ等の他の通信プロトコルに準拠したシステムに対して本発明を応用してもよい。
【００６７】
なお、日本国特許出願第２０１３−２６６１７７号（２０１３年１２月２４日出願）の全内容が、参照により、本願明細書に組み込まれている。
【産業上の利用可能性】
【００６８】
実施形態によれば、効率的な放電制御を可能とする蓄電池装置、機器制御装置、及び制御方法を提供することができる。
【図１】
2015098988.tif 000003
【図２】
2015098988.tif 000004
【図３】
2015098988.tif 000005
【図４】
2015098988.tif 000006
【図５】
2015098988.tif 000007
【図６】
2015098988.tif 000008
【図７】
2015098988.tif 000009
【図８】
2015098988.tif 000010
【国際調査報告】
2015098988.tif 000011
2015098988.tif 000012